(57)【要約】【課題】  アラームの発生を知らせる表示灯を備えた成形機において、アラームのレベルを表示灯の表示態様の種別で識別できるようにすること。【解決手段】  アラームの発生を知らせる表示灯を備えた成形機において、表示灯によるアラームの表示態様を、アラームの種別に応じて、ユーザが複数設定可能なようにする。【選択図】      図２
2007055015.tif 000002
【特許請求の範囲】
【請求項１】
アラームの発生を知らせる表示灯を備えた成形機において、
前記表示灯によるアラームの表示態様を、ユーザが設定可能としたことを特徴とする成形機。
【請求項２】
請求項１に記載の成形機において、
前記表示灯によるアラームの表示態様を、アラームの種別に応じて、ユーザが複数設定可能としたことを特徴とする成形機。
【請求項３】
請求項１または２に記載の成形機において、
成形機に備えられた表示装置上に前記表示灯によるアラームの表示態様を設定するための表示態様設定用のウィンドウ画像を呼び出し、この表示態様設定用のウィンドウ画像において、前記表示灯による表示態様を設定するようにしたことを特徴とする成形機。
【請求項４】
請求項１乃至３の何れか１項に記載の成形機において、
アラームの発生時には、成形機に備えられた表示装置上にアラームメッセージを表示させる共に、アラーム音発生手段によりアラーム音を出力させることを特徴とする成形機。
【発明の詳細な説明】
【技術分野】
【０００１】
本発明は、射出成形機やダイカストマシンなどの成形機に係り、特に、アラームの発生を知らせる表示灯を備えた成形機に関する。
【背景技術】
【０００２】
射出成形機などの成形機においては、マシン（成形機）のシステムコントローラが、マシンの状態を自己診断して、異常発生や、誤操作／不足操作などがある場合には、マシンの表示装置上に、そのアラームの内容の概略を表すアラームメッセージを自動表示するようになっている。さらに、複数のマシンが稼動している製造現場であっても、アラームが発生したマシンがどのマシンであるのかを、作業者（マシンのオペレータ）に確実に認知させるために、アラームメッセージの表示と同時に、マシンにアラームが発生したことを表示する表示灯を、ある程度遠くからでも容易に視認できるように、マシンの上方に突出配置した機種が存在する。
【０００３】
そして、このような表示灯を備えたマシンにおける、表示灯によるアラームの表示態様は、赤色の表示灯の点灯と、赤色の表示灯の一定間隔の点滅との２種類が、マシンの出荷段階でメーカ側で用意されていて、マシンのユーザ側は、表示灯によるアラームの表示態様を、赤色の表示灯の点灯、または、赤色の表示灯の一定間隔の点滅の何れか一方に、選択設定するようになっていた。
【発明の開示】
【発明が解決しようとする課題】
【０００４】
上記したような表示灯を備えた構成のマシンとすると、複数台のマシンを管理している作業者であっても、どのマシンでアラームが発生したのかを容易に識別することができ、また、マシンから離れた場所に作業者がいた場合でも、マシンにアラームが発生したことを遠隔から認知できる。
【０００５】
しかしながら、表示灯によるアラームの表示態様は、メーカ側が用意した２つのパターン（点灯または一定間隔の点滅）からユーザ側が択一選択する唯１つのパターンであるため、マシンに発生したアラームが、軽度のものてあっても重度のものであっても、一様な表示形態となっていた。このため、アラームのレベルを表示灯の表示で判るようにしたいという要望があった。
【０００６】
本発明は上記の点に鑑みなされたもので、その目的とするところは、アラームの発生を知らせる表示灯を備えた成形機において、アラームのレベルを表示灯の表示態様の種別で識別できるようにすることにある。
【課題を解決するための手段】
【０００７】
本発明は上記した目的を達成するため、アラームの発生を知らせる表示灯を備えた成形機において、表示灯によるアラームの表示態様を、アラームの種別に応じて、ユーザが複数設定可能なように、構成される。
【発明の効果】
【０００８】
本発明によれば、表示灯によるアラームの表示態様を、アラームの種別（レベル）に応じて、ユーザがそれぞれ設定可能であるので、表示灯の表示態様の種別（表示パターンの相違）で、遠隔からでもマシンに発生したアラームのレベルを判別することが可能となる。また、表示灯の表示態様をユーザが任意に設定可能なので、ユーザの好みに応じた表示形態とすることができ、しかも、生産管理要求などからくるユーザ毎に異なるアラームレベルへの対処の考え方に応じて、ユーザ毎に異なったレベル分けでの、表示態様の種別設定を行うことができる。
【発明を実施するための最良の形態】
【０００９】
以下、本発明の実施の形態を、図面を用いて説明する。  
図１〜図５は、本発明の一実施形態（以下、本実施形態と記す）による射出成形機（以下、マシンと記す）に係り、図１は、本実施形態のマシンの外観を示す正面図である。
【００１０】
図１において、１は、マシンの骨組みを構成し、図示せぬ制御回路系や電源回路系などを内蔵したフレーム、２は、フレーム１上に配置された射出系ユニット、３は、フレーム上に配置された型開閉系ユニット、４は、型開閉系ユニット３の左側面の隅部に、上方に突出するように配置された表示灯であり、この表示灯４は、赤色発光により表示を行うようになっている。また、５は、型開閉系ユニット３の右側面の手前側に配置された入力／表示ユニットで、入力装置６と表示装置７とを備えており、表示装置７はタッチパネルよりなる入力部を備えている。
【００１１】
図２は、本実施形態のマシンにおける、制御系の要部構成を示すブロック図である。図２において、１０は、マシン全体の制御を司るシステムコントローラ、６は、システムコントローラ１０に接続されたキーボード装置等からなる前記した入力装置、７は、システムコントローラ１０に接続された液晶表示装置等からなる前記した表示装置、７ａは、表示装置７に設けられた透明タッチパネルよりなる入力部、８は、システムコントローラ１０に接続され、前記した表示灯４のオン／オフ（点灯／消灯）をスイッチング制御する点消灯制御部、９は、システムコントローラ１０に接続されたアラーム音出力部である。
【００１２】
また、システムコントローラ１０において、１０１は、適宜の画像処理を行い、表示装置７への出力画像を生成する表示処理部、１０２は、表示灯４の複数パターンの表示態様が設定・格納されると共に、点消灯制御部８を制御する信号を出力する表示態様設定格納／表示灯制御部、１０３は、アラーム音出力部９を制御する信号を出力するアラーム音出力制御部、１０４は、射出成形機および製品取出機などの周辺機の状態を監視し、表示装置７によるアラームメッセージの表示および表示灯４によるアラーム表示およびアラーム音出力部９によるアラーム音の出力の要否や、表示灯４によるアラーム表示を行う場合の表示態様（表示パターン）の種別選択およびアラームメッセージの表示を行う場合のメッセージ種別の選択を行う状態判定部、１０５は、多数のアラームメッセージのデータを格納したメッセージ格納部、１０６は、マシン成形運転中の各種運転条件の測定値が、所定ショット数にわたって取り込まれる測定値格納部、１０７は、測定値格納部１０６に格納されたデータを、良／不良判定テーブルの内容に基づき良／不良判定したり、測定値格納部１０６に格納された多数ショットのデータを統計演算処理し、その処理結果を保持するモニタ（監視）演算処理部、１０８は、射出成形の各行程の運転条件を書き換え可能に記憶した運転条件設定格納部、１０９は、定期点検来歴やアラーム来歴などの各種来歴データを格納する各種来歴格納部、１１０は、表示する画像中に必要なテキスト、図形、罫線等のデータを格納した表示用固定データ格納部である。
【００１３】
入力装置６には、各種モードの画像を呼び出すためのモード種別毎の画像呼び出しキーが設けられており、作業者（オペレータ）が所望の画像呼び出しキーをプッシュすることで、表示処理部１０１は指定された画像を生成して、これを表示装置７の表示画面上に表示させる。すなわち、作業者の画像呼び出しキーのプッシュ操作に応じて、表示処理部１０１は、上記した各部１０６、１０７、１０８、１０９、１１０などから必要に応じ適宜にデータを読み込み、予め作成された画像生成プログラムにしたがって、各種の画像を生成し、これを表示装置７の表示画面上に表示させる。
【００１４】
また、射出成形機や周辺機の状態を監視している状態判定部１０９が、アラームメッセージの出力が必要である事象が発生していると判定した場合には、状態判定部１０９は、それに対応するアラームメッセージのデータを、メッセージ格納部１０５から表示処理部１０１に転送させると共に、表示処理部１０１に対して、アラームメッセージのデータを用いたウィンドウ画像の生成と、このウィンドウ画像の出力を指示する。これを受けて、表示処理部１０１は、予め作成されたアラーム用ウィンドウ画像の生成プログラムにしたがって、メッセージ格納部１０５および表示用固定データ格納部１１０のデータを用いて、アラームメッセージ用のウィンドウ画像を生成し、これを表示装置７の表示画面上に自動的に割り込み表示させる。このとき同時に、状態判定部１０４は、表示態様設定格納／表示灯制御部１０２に対して、アラームレベルに応じた信号を出力して表示灯４によるアラーム表示を行うように指示し、これを受けて表示態様設定格納／表示灯制御部１０２は、アラームレベル毎に応じて予め設定されている複数の表示態様（表示パターン）から、指示されたアラームレベルに対応する表示態様を選択して、この選択した表示態様で表示灯４がアラーム表示を行うように、点消灯制御部８に対して制御信号を出力し、点消灯制御部８ではこの制御信号にしたがって表示灯４のオン／オフをスイッチング制御して、表示灯４によってアラーム表示を行わせる。さらにこのとき同時に、状態判定部１０４は、アラーム音出力制御部１０３に対してアラーム音の出力を指示し、これを受けてアラーム音出力制御部１０３は、アラーム音出力部９に対して制御信号を出力し、アラーム音出力部４ではこの制御信号にしたがって、例えば圧電ブザーによりアラーム音を出力する。
【００１５】
また、本実施形態においては、あるモード種別に属する画像群の中の画像を表示している状態（ここでは、例えばメンテナンスモードの画像を表示している状態）で、作業者（オペレータ）が、表示装置７上の表示画像中に示される所定のファンクションキーをプッシュする操作（表示装置７の入力部７ａを用いる操作）を行うと、表示処理部１０１が、アラームレベルに応じた表示灯４によるアラーム表示の表示態様を設定するための表示態様設定用のウィンドウ画像を生成して、これを表示させるようになっている。すなわち、作業者が所定のファンクションキーをプッシュして、表示態様設定用のウィンドウ画像の呼び出しを指示すると、表示処理部１０１は、予め作成された表示態様設定用のウィンドウ画像の生成プログラムにしたがって、表示態様設定格納／表示灯制御部１０２および表示用固定データ格納部１１０のデータを用いて、後述するような表示態様設定用のウィンドウ画像を生成し、これを表示装置７の表示画面上に割り込み表示させる。そして、この表示態様設定用のウィンドウ画像を用いて、作業者（オペレータ）が、後述するように表示灯４によるアラーム表示の表示態様を設定・変更できるようになっている。なお、表示態様設定用のウィンドウ画像の呼び出し条件や、呼び出し操作は上記に限らず、任意である。
【００１６】
次に、本実施形態における表示灯４によるアラーム表示の表示態様の、設定・変更の動作について説明する。入力装置６に設けられた前記したモード種別毎の画像呼び出しキーのうちの、メンテナンスモードの画像呼び出しキーをプッシュすると、例えば図３に示すような、定期点検表とグリース給脂点検表を表した点検画像２１が、表示装置７の表示画面上に表示される。この点検画像２１の下部には、ファンクションキー２２が表示されており、これらはメンテナンスモードの画像切り換えや、電卓機能の呼び出し等々に用いられるようになっており、これらのファンクションキーのうちの１つが、表示灯４の表示態様設定用のウィンドウ画像を呼び出すためのファンクションキー２２−ＡＳとなっている。そして、このファンクションキー２２−ＡＳをプッシュすることによって、図３中に示すような、アラームレベルに応じた表示態様設定用のウィンドウ画像２３が表示される。本実施形態では、表示態様設定用のウィンドウ画像２３として、アラームレベルに応じた複数のウィンドウ画像２３が順次切り替えて表示可能となっており、例えば、アラームレベルがレベルＡ，Ｂ，Ｃ，Ｄの４段階で、レベルＡが最も重度のアラームレベルで、レベルＢ→Ｃ→Ｄの順に軽度のアラームレベルとなっているとすると、ファンクションキー２２−ＡＳをプッシュすると、まず、アラームレベルＡに対応する表示態様設定用のウィンドウ画像２３が表示される。そして、アラームレベルＡの表示態様設定用のウィンドウ画像２３中の「進む切替」マーク２４をプッシュすると、アラームレベルＢの表示態様設定用のウィンドウ画像２３が表示され、アラームレベルＢの表示態様設定用のウィンドウ画像２３中の「進む切替」マーク２４をプッシュすると、アラームレベルＣの表示態様設定用のウィンドウ画像２３が表示され、アラームレベルＣの表示態様設定用のウィンドウ画像２３中の「進む切替」マーク２４をプッシュすると、アラームレベルＤの表示態様設定用のウィンドウ画像２３が表示されるようになっている。また、アラームレベルＤの表示態様設定用のウィンドウ画像中の「戻る切替」マーク２５をプッシュすると、アラームレベルＣの表示態様設定用のウィンドウ画像２３が表示され、アラームレベルＣの表示態様設定用のウィンドウ画像中の「戻る切替」マーク２５をプッシュすると、アラームレベルＢの表示態様設定用のウィンドウ画像２３が表示され、アラームレベルＢの表示態様設定用のウィンドウ画像中の「戻る切替」マーク２５をプッシュすると、アラームレベルＡの表示態様設定用のウィンドウ画像２３が表示されるようになっている。
【００１７】
図４の（ａ）は、表示灯４の表示態様設定用のウィンドウ画像２３（ここで例えば、アラームレベルＤの表示態様設定用のウィンドウ画像２３）を示しており、各アラームレベルに対応する表示態様設定用のウィンドウ画像２３中には、それぞれ、表示灯４のオン／オフを設定するためのオン／オフ設定枠２６が、所定秒期間（例えば、３〜１０秒の期間）に対して１６個設けられており、これにより、所定秒周期で繰り返される各種の表示態様（表示パターン）が設定可能なようになっている。各オン／オフ設定枠２６の箇所を手指などでプッシュすることに、「レ」マークが交番的に表示、消去され、「レ」マークの表示がある部分が表示灯４の点灯する部分となっている。図４の（ａ）に示したアラームレベルＤの表示態様設定用のウィンドウ画像２３での設定状態は、全てのオン／オフ設定枠２６を「レ」マークとしており、したがって、このような設定状態では、図４の（ｂ）に示したように、表示灯４は連続点灯する表示パターンとなる。
【００１８】
図５の（ａ）は、アラームレベルＣの表示態様設定用のウィンドウ画像２３での設定状態の例を示しており、このような設定状態では、図５の（ｂ）に示したように、表示灯４は比較的に長い周期で点滅する。図６の（ａ）は、アラームレベルＢの表示態様設定用のウィンドウ画像２３での設定状態の例を示しており、このような設定状態では、図６の（ｂ）に示したように、表示灯４は図５の（ｂ）よりも短い周期で点滅する。図７の（ａ）は、アラームレベルＡの表示態様設定用のウィンドウ画像２３での設定状態の例を示しており、このような設定状態では、図７の（ｂ）に示したように、表示灯４は図６の（ｂ）よりも短い周期で点滅する。
【００１９】
図４〜図７に示したように、アラームレベルＡでは短い点滅間隔とし、アラームレベルＢでは中程度の点滅間隔とし、アラームレベルＣでは長い点滅間隔とし、アラームレベルＤでは連続点灯とすることで、表示灯４の表示態様（表示パターン）の違いで、作業者は容易にアラームのレベルを判別することが可能となる。また、表示灯４の点滅間隔は、視認可能な範囲で短い程、目立ち易いと考えられるので、アラームレベルが重度のものほど、作業者に目立ち易くなる。
【００２０】
なお、図４〜図７に示したのはあくまで１例であって、表示灯４の表示態様（表示パターン）の設定は任意であり、例えば、所定秒時の点灯と任意周期の点滅を組み合わせたり、長い点滅間隔と短い点滅間隔とを組み合わせるなどしてもよい。
【００２１】
なおまた、生産管理要求などからくるユーザ毎に異なるアラームレベルへの対処の考え方に応じて、ユーザ毎に異なったレベル分けでの、表示態様の種別設定を行うようにしてもよい。つまり、例えば、アラームレベルＢ〜アラームレベルＤは、全て同一の連続点灯し、アラームレベルＡのみを点滅させるようにして、アラームレベルＡのトラブル事象だけは即座に対応する処理を行うなどとしてもよい。
【００２２】
以上のように本実施形態では、表示灯４によるアラームの表示態様を、表示態様設定用のウィンドウ画像２３を用いて、アラームの種別に応じて、ユーザがそれぞれ設定可能であるので、表示灯４の表示態様の相違によって、遠隔からでもマシンに発生したアラームのレベルを判別することが可能となる。また、表示灯４の表示態様をユーザが任意に設定可能なので、ユーザの好みに応じた表示形態とすることができ、しかも、生産管理要求などからくるユーザ毎に異なるアラームレベルへの対処の考え方に応じて、ユーザ毎に異なったレベル分けでの、表示態様の種別設定を行うことができる。
【図面の簡単な説明】
【００２３】
【図１】本発明の一実施形態に係る射出成形機の外観を示す正面図である。
【図２】本発明の一実施形態に係る射出成形機における、制御系の要部構成を示すブロック図である。
【図３】本発明の一実施形態に係る射出成形機において、表示装置の表示画面上に表示された点検画像の例を示す説明図である。
【図４】本発明の一実施形態に係る射出成形機における、表示態様設定用のウィンドウ画像での設定例とその表示態様との例を示す説明図である。
【図５】本発明の一実施形態に係る射出成形機における、表示態様設定用のウィンドウ画像での設定例とその表示態様との例を示す説明図である。
【図６】本発明の一実施形態に係る射出成形機における、表示態様設定用のウィンドウ画像での設定例とその表示態様との例を示す説明図である。
【図７】本発明の一実施形態に係る射出成形機における、表示態様設定用のウィンドウ画像での設定例とその表示態様との例を示す説明図である。
【符号の説明】
【００２４】
１  フレーム
２  射出系ユニット
３  型開閉系ユニット
４  表示灯
５  入力／表示ユニット
６  入力装置
７  表示装置
７ａ  表示装置の入力部
８  点消灯制御部
９  アラーム音出力部
１０  システムコントローラ
１０１  表示処理部
１０２  表示態様設定格納／表示灯制御部
１０３  アラーム音出力制御部
１０４  状態判定部
１０５  メッセージ格納部
１０６  測定値格納部
１０７  モニタ（監視）演算処理部
１０８  運転条件設定格納部
１０９  各種来歴格納部
１１０  表示用固定データ格納部
２３  表示態様設定用のウィンドウ画像
２４  「進む切替」マーク
２５  「戻る切替」マーク
２６  オン／オフ設定枠
【図１】
2007055015.tif 000003
【図２】
2007055015.tif 000004
【図３】
2007055015.tif 000005
【図４】
2007055015.tif 000006
【図５】
2007055015.tif 000007
【図６】
2007055015.tif 000008
【図７】
2007055015.tif 000009